(57)【要約】【課題】  素材と水を所定の割合て混練した塗り壁材を収納容器に詰めておき、これに鏝受けを取り付けてこの鏝受けに必要なだけ（小口）の量を取り出して使用できるようにすることで、舟（塗り容器）と現場までの往復を排し、余った塗り壁材を無駄にしないようにする。【解決手段】  混練された塗り壁材を小口に取り出す小口取出構造であり、この小口取出構造が、携行が可能で、キャップがされた吐出口を有する気密性材で構成され、手で揉むことで予め混練されて収納された中の塗り壁材の混練及びキャップを外すことで吐出口からの絞り出しが可能な可撓性材で構成された収納容器と、吐出口に着脱自在に取り付けられて収納容器から絞り出された少量の塗り壁材を堆積できる鏝受けとからなる。【選択図】  図３
2010203182.tif 000002
【特許請求の範囲】
【請求項１】
混練された塗り壁材を小口に取り出す小口取出構造であり、この小口取出構造が、片手で持って携行が可能で、キャップがされた吐出口を有する気密性材で構成され、手で揉むことで予め混練されて収納された中の塗り壁材の混練及びキャップを外すことで吐出口からの絞り出しが可能な可撓性材で構成された収納容器と、吐出口に着脱自在に取り付けられて収納容器から絞り出された少量の塗り壁材を堆積できる鏝受けとからなることを特徴とする塗り壁材の小口取出構造。
【請求項２】
鏝受けが、吐出口に外挿される挿入孔から底壁が前延したものであり、底壁の両端に側壁が設けられた塵取り状をしているものである請求項１の塗り壁材の小口取出構造。
【請求項３】
鏝受けが、吐出口に接続される接続部の上部に上広がりの溜部が設けられる漏斗状をしているものである請求項１の塗り壁材の小口取出構造。
【請求項４】
鏝受けが、接続部に手で握ることができる丈を有する柱と、柱の下端に自立を可能にする接地板が付いたスタンドが接続されたゴブレット状をしている請求項３の塗り壁材の小口取出構造。
【請求項５】
塗り壁材が漆喰を主要素材とする請求項１〜４いずれかの塗り壁材の小口取出構造。
【発明の詳細な説明】
【技術分野】
【０００１】
本発明は、壁等に施工する塗り壁材の小口取出構造に関するものである。
【背景技術】
【０００２】
塗り壁材には種々の素材のものがあるが、いずれも舟と呼ばれる桶に塗り壁材の素材を投入し、これに水を加えて混練していた。この混練したものを鏝板と呼ばれる板の上に載せて鏝で壁等に塗り付けていたのであるが、施工域が大きいと、塗り壁材の補給のために舟と施工場所との間を何回も往復しなければならず、作業の効率を低下させていた。また、施工場所に作業者が位置して塗り壁材が必要になったときには補助者が補給する方法もあるが、これによると人手を要することになる。一方、塗り壁材が不足すると、混練作業を何回も繰り返す必要があり、混練するたびに素材と水との割合が異なって品質や粘度が違ったものになり、一定した品質のものを使用できないといったことがあった。
【０００３】
ところで、塗り壁材の素材としては、最近では、自然の風合いが出せる漆喰系のものが多く採用されるが、漆喰系の塗り壁材は空気と触れると固化する性質があり、一旦、固化したものは使用できなくなる。このため、準備した塗り壁材が小さい施工域であったために余ったような場合は廃棄するしかなく、無駄であった。そこで、下記特許文献１では、予め混練した塗り壁材を密封した容袋に詰めて一定した品質のものを無駄がないように使用する案件が提案されている。
【０００４】
しかし、一旦、開封すると、全部使い切ってしまわなければならない点は同じであり、さらに、必要な小口（少量）だけ使用するわけにはゆかなかった。また、容袋の中の練り壁材は別の舟等に移し替えておかなければならず、塗り壁材の補給のために舟と施工場所との間を何回も往復しなければならない点も同じである。
【先行技術文献】
【特許文献】
【０００５】
【特許文献１】特開２００３−３０５７１２号公報
【発明の概要】
【発明が解決しようとする課題】
【０００６】
本発明は、練り壁材の補給のために舟（練り容器）と施工現場までを往復しなければならない点、施工に余った塗り壁材は保存できないといった点を解決したものである。
【課題を解決するための手段】
【０００７】
本発明は、請求項１に記載の、混練された塗り壁材を小口に取り出す小口取出構造であり、この小口取出構造が、片手で持って携行が可能で、キャップがされた吐出口を有する気密性材で構成され、手で揉むことで予め混練されて収納された中の塗り壁材の混練及びキャップを外すことで吐出口からの絞り出しが可能な可撓性材で構成された収納容器と、吐出口に着脱自在に取り付けられて収納容器から絞り出された少量の塗り壁材を堆積できる鏝受けとからなることを特徴とする塗り壁材の小口取出構造を提供したものである。
【０００８】
これにおいて、請求項２に記載した、鏝受けが、吐出口に外挿される挿入孔から底壁が前延したものであり、底壁の両端に側壁が設けられる塵取り状をしているものである手段、請求項３に記載した、鏝受けが、吐出口に接続される接続部の上部に上広がりの溜部が設けられる漏斗状をしているものである手段、請求項４に記載した、鏝受けが、接続部に手で握ることができる丈を有する柱と、柱の下端に自立を可能にする接地板が付いたスタンドが接続されたゴブレット状をしている手段を提供する。
【発明の効果】
【０００９】
請求項１の発明によると、塗り壁材を収納する収納容器は片手で持って携行が可能であるから、直接施工現場まで持って行ける。また、塗り壁材は予め混練されて密封状態で収納容器に収納されているから、改めて混練をする必要はないし、空気に触れて固化することもない。さらに、収納容器は手で揉むことができるから、施工前又は施工中に適宜これを行って混練することができる。収納容器に密封された塗り壁材は空気に触れて固化することはないが、水と固形成分が分離することがあるから、この混練でそれを改善させることができる。
【００１０】
収納容器に収納された塗り壁材は、一度の塗り作業に必要な量だけ鏝受けに絞り出すことができるから、無駄がないし、鏝によって鏝受けの上で混練もできるから、適正な状態のものにできる。また、収納容器と鏝受けとは一体になって片手で持てるから（もう片方の手には鏝を持つ）、従来使用していた鏝板の代わりになる。さらに、作業で余った塗り壁材は収納容器にキャップをしておくことで、固化することなく保存できる。この他、空になった容器には再度塗り壁材を収納すればよいから、容器の繰返し使用が可能になり、無駄をなくせる。
【００１１】
請求項２及び３の手段によると、絞り出した塗り壁材の鏝受け上での混練作業が容易になるし、少々傾いても中の塗り壁材がこぼれることがない。特に、請求項３の手段によると、鏝が入り易いし、下にこぼれたりしない。請求項４の手段によると、鏝受けだけ手に持って作業ができるし、作業姿勢の変更等の際にスタンドによって物の上に載せておくことができるから、安全性が高い。
【図面の簡単な説明】
【００１２】
【図１】塗り壁材を首脳する収納容器の一部断面側面図である。
【図２】収納容器に鏝受けを取り付けた状態の一部平面図である。
【図３】収納容器に鏝受けを取り付けた状態の断面側面図である。
【図４】収納容器に他の鏝受けを取り付けた状態の一部断面側面図である。
【図５】鏝受けにスタンドを取り付けた状態の一部断面側面図である。
【発明を実施するための形態】
【００１３】
以下、本発明の実施の形態を図面を参照して説明する。図１は本発明に係る塗り壁材の小口取出構造を構成する収納容器の一部断面側面図であるが、この収納容器（以下、容器）１は、気密性があり、かつ、可撓性がある素材で構成される。具体的には、ポリエチレンやビニール製のものが考えられる。容器１は、上部に行くほど先細りの形状になっており（後述する絞り出しを容易にするため）、その端には外周に雄ネジ２ａが形成された吐出口２が設けられ、これに内周に雌ネジ３ａが形成されたキャップ３をねじ込んで蓋をしている。なお、この容器１は、中に塗り壁材（以下、壁材）４を収納した状態で手で持ったり、身体に付けて携行できる程度の大きさ、容量のものになっている。したがって、手で揉むことができるものになっている。
【００１４】
吐出口２には鏝受け５が着脱自在に取り付けられる。図２は鏝受け５を取り付けた状態の一部平面図であり、図３は断面側面図であるが、本例の鏝受け５は塵取り状をしているものである。すなわち、吐出口２（雄ネジ２ａの外周）に外挿できる挿入孔６を有し、挿入孔６の前方には底壁７が前延しており、底壁７の両端には側壁８が設けられているものである。また、底壁７は前方に行くほど末広がりになっているのが好ましく、多くの量の壁材４が堆積できるとともに、鏝９が入り易いようになっている。
【００１５】
以上の構成の小口取出構造によって壁塗り作業をする場合について説明すると、まず、この容器１を携行して施工現場まで行き、容器１を手で揉んで中の壁材４を十分に混練する。次いで、キャップ３を外して鏝受け５を取り付け、容器１を手で押して所定量の壁材４を鏝受け５の上に絞り出す。これにより、鏝受け５は容器１と一体になって片手で持てるものとなり、従来使用していた鏝板の代わりになる。
【００１６】
そして、鏝受け５の上に堆積した壁材４を鏝９で混練して適正な練り状態にし、これを鏝９で所定量掬い取って壁等に塗り付ける。この作業を施工域全体に亘って行うのであるが、容器１自体はそれほど大きくないので、途中で容器１が空になることがある。その場合は、別の容器１を用いて同様な作業をすることになるが、この便を考えて多数の容器１を装着したベルト等を身体に付けておけばよい。なお、容器１の中に壁材４が残っておれば、キャップ３を締めることで固化が防がれて長期の保存ができるし、空になった容器１には再度壁材４を詰めておけば、容器１の繰返し使用ができる。
【００１７】
図４は別の鏝受け１０を取り付けた状態の一部断面側面図であるが、本例の鏝受け１０は、吐出口２の雄ネジ２ａに螺合できる雌ネジ１１ａが内周に形成された接続部１１から上方に上広がりに続く溜部１２が設けられた漏斗状をしているものである。本例の鏝受け１０によると、溜部１２が漏斗状になっているから、鏝９が入り易い上に壁材４がこぼれ難いという特徴がある。なお、壁材４が溜部１２から容器１内に逆流するようであれば、容器１を絞った状態にしておけばよい。一方、この鏝受け１０にはスタンド１３が接続できるようになっている。このスタンド１３は、接地板１４の上に柱１５が起立しているもので、柱１５の上部に接続部１１の雌ネジ１１ａに螺合できる雄ネジ１５ａが形成されたものである。
【００１８】
この場合、柱１５は手で持てる程度の丈を有しており、接地板１４は溜部１２に一杯の壁材４を入れた場合にも自立できる程度の広さを有しているものであり、全体はゴブレット（柄と台が付いたコップ）状になっているものである。この状態の鏝受け１０は、壁塗り作業に際して容器１と切り離して使用するものであり、具体的には、柱１５を手で持ち、溜部１２の中の壁材４を混練したり、鏝９で掬い取ったりするものである。作業時、作業者は梯子に上がった状態で姿勢を変更するような場合もあり、このとき、鏝受け１０を持ったままでは危険なこともある。このようなときには、スタンド１３を傍にある物の上に置いておくことで安全が保たれる。
【００１９】
ところで、この鏝受け１０の溜部１２に壁材４を充填するには、容器１に取り付けて絞り出した状態で容器１から外し（この場合、接続部１１の孔を手等で塞いでおく）、その後にスタンド１３を接続してもよいが、このとき、壁材４が漏れ出たりすることがある。このため、容器１に予め鏝受け１０を接続しておき、別の容器１から直接注いだり、舟で混練した壁材４を充填するのが好ましい。
【００２０】
なお、このような容器１は使用するときには片手で持つことになるから、その大きさや重量はおのずから決まる。重量については、壁材４を入れた状態で５００ｇ〜１Ｋｇが適する。そして、この容器１は専門の左官職だけでなく、一般人が使用する場合にも適するものになる。最近は、日曜大工等の一般人も壁塗りを行うことが多く、一般人は、壁材４の知識に乏しく、また、作業にも慣れてないないから、都合の良いものとなる。特に、一般人には扱いが難しい鏝板を必要としないから、非常に便利なものになる。さらに、この目的の下では、容器１の中に入れておく壁材４は即座に使用できるように予め素材と水を所定の割合で調合しておくのが適する。
【００２１】
以上で用いられる壁材４については特に限定はなく、従来用いられていた土に藁屑と水を加えたものでもよいし、昨今、多く用いられている自然の風合いが出せると好評の漆喰系のものでもよい。後者の場合、消石灰、接着糊（自然物である海草を用いたものが好ましい）、つなぎとしての珪砂、必要に応じた顔料を適宜の割合で混合し、これに水を概略２０〜４０重量％混ぜて混練したものである。そして、この混練したものを容器１に詰めておくのである。
【符号の説明】
【００２２】
１      容器
２      吐出口
２ａ    雄ネジ
３      キャップ
３ａ    雌ネジ
４      塗り壁材
５      鏝受け
６      挿入孔
７      底壁
８      側壁
９      鏝
１０    鏝受け
１１    接続部
１１ａ  雌ネジ
１２    溜部
１３    スタンド
１４    接地板
１５    柱
１５ａ  雄ネジ
【図１】
2010203182.tif 000003
【図２】
2010203182.tif 000004
【図３】
2010203182.tif 000005
【図４】
2010203182.tif 000006
【図５】
2010203182.tif 000007